(57)【特許請求の範囲】
【請求項１】
流水供給装置と、組立式流水路と、湧出管とからなり、
上記流水供給装置は供給水中の異物を除去するろ過槽と、このろ過槽から供給される水を水性昆虫の生育に適する水に調整する水質調整槽と、調整された水を流水として放出する給水槽とを備えており、
上記組立式流水路は上部開口の箱体からなる複数個の流水路ユニットを流路方向に沿って並設したものからなり、
上記湧出管は所定径の配水管の管壁に複数の湧出孔を設けたものからなり、
上記流水供給装置と上記湧出管の端部とは供給管を介して接続してあり、
上記湧出管は上記流水路の下流側から上流側に向けて配管してあり、当該湧出管から湧出した水は上記各流水路ユニット内に放出されて流水となり、さらに当該各流水路ユニットに設けられた関を通って上流側から下流側に移動し、最下流側に設けられた関から排水路に流出可能としてある
ことを特徴とする水生昆虫の人工飼育システム。
【請求項２】
請求項１において、上記水質調整槽は溶存酸素富化装置と微生物供給手段と水素イオン濃度調整装置とを備えている
ことを特徴とする水生昆虫の人工飼育システム。
【請求項３】
請求項２において、上記溶存酸素富化装置は上記水質調整槽に配置された発泡装置と、この装置から気泡を水中に分散させる気泡分散装置とを備えている
ことを特徴とする水生昆虫の人工飼育システム。
【請求項４】
請求項３において、上記気泡分散装置は上記発泡装置から水中に分散させるべき気泡を所望の方向に変換させる少なくとも１枚の反射板を備えている      ことを特徴とする水生昆虫の人工飼育システム。
【請求項５】
請求項１乃至４のいずれかの１において、上記水生昆虫は蛍である
ことを特徴とする水生昆虫の人工飼育システム。
【請求項６】
請求項５において、上記流水路ユニットは低アルカリ性セメントを含む素材により製造されたものである
ことを特徴とする水生昆虫の人工飼育システム。
【請求項７】
請求項５または６のいずれかにおいて、各上記流水路ユニットの底部には石英片岩を敷き詰めてなる砂礫層が設けてある
ことを特徴とする水生昆虫の人工飼育システム。
【請求項８】
請求項７において、上記砂礫層には水性植物が植栽してある
ことを特徴とする水生昆虫の人工飼育システム。
【請求項９】
請求項５乃至８のいずれかの１において、上記組立式流水路を構成する流水路ユニットの側壁上部には当該組立式流水路の設置位置周辺の土壌に水分を供給する少なくとも１個の小孔が設けてある
ことを特徴とする水生昆虫の人工飼育システム。
【請求項１０】
請求項５乃至請求項９のいずれかの１において、上記水生昆虫の人工飼育システムを庭園等に設置し、
上記流水供給装置から上記水生昆虫の成育に適する流水を上記湧出管から各流水路ユニット内に湧出させ、湧出した水は流水として上記組立式流水路に沿って流し、
上記組み立式流水路に水藻を植栽・繁茂させ、さらにこの中へ大小取り混ぜた複数のカワニナを放流して飼育し、
上記組立式流水路に蛍の幼虫を放流して飼育し、
上記飼育された蛍の幼虫が上記組立式流水路から周辺の土中に這い出して蛹化し、さらに羽化した成虫を飛び立たせる過程を経る
ことを特徴とする蛍の人工飼育方法。
【発明の詳細な説明】
【０００１】
【発明の属する技術分野】
本発明は水生昆虫の人口飼育システム及び蛍の人工飼育方法に関するものである。
【０００２】
【従来の技術】
暗闇の中で青白い光が尾を引くように点滅しながら飛ぶ蛍はだれに対しても郷愁をかり立てるものがある。しかしながら昨今の環境汚染は蛍(特にゲンジボタル)の生棲を困難に陥れ、田園地帯に出掛けて観察しようとしてもこれらの水生昆虫や蛍と容易に遭遇できない情況にある。また蛍は清浄な水が存在するところにしか生棲できないものであるため、蛍の飛んでいる地域は好環境を保持していることを意味することも多い。
【０００３】
このような情況の下に地方自治体の公園やホテル又は料亭などの所有する大庭園では人集めの手段として蛍を放すなどしている。このように庭園などに放される蛍は、初期の段階では蛍の生棲地で捕獲したものを放すだけで間に合っていたが、現在では多数の蛍を集めることは困難であるためこれに代わるものとして蛍の人工飼育が試みられている。
【０００４】
従来技術における蛍の人工飼育の第１例として容器本体に産卵床、孵化槽等にパイプで浄水を循環させ、この中に蛍の餌となるカワニナを給餌して、蛍の成育環境を整えることにより飼育する蛍の人工飼育方法（特開昭６２−１９０３７号公報）が提案されている。
【０００５】
第２例として下部容器の上方に上部容器を配置し、これらのいずれかの容器に餌飼育部、孵化部、幼虫飼育部、蛹化部及び羽化部などを設け、これに浄水を補給して蛍を人工飼育する蛍飼育装置（実公平３−１０８５０号公報）が提案されている。
【０００６】
第３例として、公園に廃棄物処理施設を設け、これに隣接するように蛍飼育施設を設け、環境意識の啓蒙を図ることを意図した提案（特開平１１−１７９０５８号公報）がある。この提案における蛍飼育施設は、多数の装置や各種の飼育槽を備え、蛍の成育に応じて槽間を移動して成虫化させるようにしたものである。
【０００７】
【発明が解決しようとする課題】
上記した従来技術のうち、第１例及び第２例はともに飼育槽で蛍を育成させるもので、蛍の飼育に重点が置かれ、蛍の餌となるカワニナの成育及び繁殖についての配慮がなく、カワニナは蛍の幼虫の成育時には常に給餌するものである。したがって蛍の成育環境を十分にアピールすることもできないし、カワニナの供給も面倒であるなどの問題がある。
【０００８】
これに対し、第３例は公園施設の一環として設置されるものであり、廃棄物処理施設との組み合わせなどにより環境啓蒙上の役割を果し得るものといえる。しかし、この提案における蛍飼育施設は、大規模かつ複雑な構成となっている割には蛍の成育環境をアピールする要素に欠ける短所がある。
【０００９】
すなわち、第３例では飼育槽の周囲及び上方には複雑な飼育のための装置が設けてあり、どう見ても自然環境の中で蛍が生棲しているような感じを与えていない。自然環境と同様に作られた清流の中に生棲する蛍の幼虫はその中で自然的に生息しているカワニナを餌として成長し、この餌となるカワニナもまた清流の中で水性植物を食べ、カルシウムの補充を受けて成長するいわゆる生物循環の状態が観察可能であることこそが蛍の飼育と環境啓蒙の両輪となるものである。
【００１０】
そこで本発明の目的は、蛍の整備された成育環境で蛍を人工飼育可能とし、併せて環境啓蒙を高くした水生昆虫の人工飼育システム及び蛍の人工飼育方法を提供することにある。
【００１１】
【課題を解決するための手段】
上記の目的を達成するために本発明は以下の手段を採用してある。
【００１２】
本発明の水生昆虫の人工飼育システムは、流水供給装置と組立式流水路と湧出管とから構成し、このシステムにより蛍を代表とする水生昆虫を自然環境と同様の生態系の下に飼育可能とするものである。
【００１３】
このシステムを構成する流水供給装置は、供給される水に含まれる異物を除去する浄水槽と、この浄水槽から供給される水を蛍の生育に適する水に調整する水質調整槽と、調整された水を流水として放出する給水槽とを備えている。水生昆虫の良好な生存環境はこの流水供給装置から給水管を介して流水を組立式流水路に供給することにより整えるようにしたものである。
【００１４】
組立式流水路は上部開口の箱体からなる複数個の流水路ユニット（以下「ユニット」 ）を流路方向に沿って並設して接続したものからなる。流水路の底部には湧出管が配管してあり、これらの湧出管により流水供給装置から供給された水を湧水として組立式流水路の砂礫層間から湧出させることにより水生昆虫の成育環境を作るようにしてある。湧出管は水の流れに沿って所定径の配水管の管壁に複数の湧出孔を設けたものからなり、組立式流水路の下流側から上流側に向けて配管してある。
【００１５】
こうして湧出管から湧出した湧水は流水となって各ユニットに供給され、充満した水は各ユニットに設けられた関を通って上流側から下流側に移動し、最下流側に設けられた関から排水路に流出可能としてある。
【００１６】
上記の水質調整槽は溶存酸素富化装置と微生物供給手段と水素イオン濃度調整手段とを備えたものとすることにより水生昆虫の成育環境を整備するようにしてある。
【００１７】
上記の溶存酸素富化装置は水質調整槽に配置された発泡装置と、この装置で発生した気泡を水中に分散させる気泡分散装置とを備えたものとすれば、供給水中の溶存酸素量を増加させることにより水生昆虫のより良い環境を提供可能とすることができる。
【００１８】
気泡分散装置はエアーを水中に溶け込ませる手段として少なくとも１枚の反射板を備えたものとしてある。反射板は、発泡装置から水中に分散させるべき気泡を水中で衝突させることにより所望の方向に変換させるように調整槽内に設けてある。
【００１９】
以上の各手段は水生昆虫全般の飼育システムとして有効なものであるが、本発明は清流かつ餌となるカワニナの生存する水中でなければ幼虫が成育不能とされる蛍、特にゲンジボタルの人口飼育に適用すると有効である。
【００２０】
流水路ユニットの材質は水生昆虫の成育に有害なものでない限り特に制限されないが、蛍の飼育を行うものについては、低アルカリ性セメントを素材として製造されたものを採用してある。これは蛍の幼虫が好んで食べる餌となるカワニナの殻の成分を供給可能とするものである。同じ趣旨から各ユニットの底部には石英片岩を敷き詰めてなる砂礫層を設けてある。また、この砂礫層にはカワニナの餌となるカナダ藻類、芹、クレソン等の水性植物を植栽することによりカワニナの生存を半永久的なものとしてある。
【００２１】
蛍の幼虫に代表される水生昆虫は、水中から這い出して土中に潜り、ここで蛹化するものであることに鑑み、ユニットの側壁上部には周辺の土壌に水分を供給する複数の小孔を設けてある。
【００２２】
上記した水生昆虫の人工飼育システムを用いた蛍の人口飼育例として以下の過程を採用することが有効である。
【００２３】
第１過程として、人工飼育システムを庭園等に設置し、流水供給装置から水生昆虫の成育に適する流水を湧出管により各ユニット内に湧出させ、湧出した水を流水として組立式流水路に沿って流す。
【００２４】
第２過程として、組立式流水路に水藻を植栽・繁茂させ、さらにこの中へ大小取り混ぜた複数のカワニナを放流して育成する。この過程においては、カワニナは上記した水性植物を餌とし、ユニットや石英片岩から殻の形成に必要なカルシウムを吸収して生存を続ける。
【００２５】
第３過程として、組立式流水路に蛍の幼虫を放流してこれを育成する。この育成過程においては、蛍の幼虫は清流の中でカワニナを餌として成長する。
【００２６】
第４過程として、育成された蛍の幼虫が組立式流水路から周辺の土中に這い出した後には、ユニットの上部側壁に設けてある小孔から土中に水分を供給することにより蛹化しやすい環境を提供する。
【００２７】
最後に土中に潜った蛍の幼虫はそこで蛹化し、土中に土繭を作ってその中で変身し、最後に羽化して成虫の蛍となって飛び立たせる。
【００２８】
【発明の実施の形態】
図１は本発明に係る水生昆虫、特に蛍の人工飼育システム（以下「飼育システム」）を断面図で示したものである。
【００２９】
図１に示すように、この飼育システムは流水供給装置Ａと組立式流水路（以下「流水路」）Ｂとにより構成してある。流水は流水供給装置Ａから供給管Ｃを介して流水路Ｂに供給され、ここから排出された水は排水管（図示略）を介して再び流水供給装置Ａへ還流するようにしてある。
【００３０】
流水供給装置Ａは、水道などの水源１から供給される源水を一旦溜めておく貯水槽２と、貯水槽から供給された水を蛍の幼虫の成育に適する水に変化させる水質改善槽３と、この水を流水路Ｂへ供給するための給水槽４とからなる。
【００３１】
貯水槽２は上部開口面に金網状のごみ除け蓋２ａが被せてあり、ここに貯められた源水は槽の一辺に設けた関からオーバーフローにより隣接して設置されている水質改善槽３へ流れ込むようにしてある。
【００３２】
水質改善槽３はろ過槽５と水質調整槽６との２つの槽からなり、ろ過槽で異物の除去により浄化された水は調整槽に供給され、ここで後述のような水質に改善されて流水路Ｂへ供給するようにしてある。
【００３３】
ろ過槽５は前後を仕切り板５ａで仕切られており、上流側の槽５ｂには荒目の多孔質物質を詰めてあり、大き目の異物を除去するようにしてあり、下流側の槽５ｃには細かい目の多孔質物質を詰めてあり、徴細な物質も除去可能としてある。
【００３４】
仕切り板５ａの下方は水の通路となっており、上流側の槽５ｂに流入した水はこの通路を通って下流側の槽５ｃの下部から上部に向けて通過するようになっている。下流側の槽５ｃで上部に達した水はこのろ過槽５に隣接している調整槽６にオーバーフローして流入可能としてある。
【００３５】
調整槽６には、浄水を水生昆虫の生棲に必要な水質に改善するための水質調整手段が設置してある。水質調整手段の例としては、溶存酸素富化装置、微生物供給手段及び水素イオン濃度調整装置などを備えている。なお、流水供給装置Ａは効率上は組立式流水路Ｂの近傍に設けることが望ましいが、この場合、設置する庭園等の環境とのバランスを考慮して花壇などによって覆うように工夫するとよい。
【００３６】
図２に溶存酸素富化装置７の例を示す。この装置７は、発泡装置８と気泡分散装置９とを備えたものからなる。発泡装置８は発泡器（図示略）と接続されている通気管８ａと、この通気管から分岐している発泡管８ｂ，８ｂとからなる。発泡管８ｂには細孔の小孔が設けてあり、通気管８ａから発泡管に送り込まれたエアーは、これらの小孔から調整槽６内の水中に放出され、気泡となって水中に吸収されることにより溶存酸素を富化可能としてある。
【００３７】
気泡分散装置９は、各１対の支柱９ａ，…に支持された反射板を適当な位置に３枚を配設したものからなる。このうち前後２枚の反射板９ｂ，９ｂはいずれも発泡管８ｂ、８ｂの上方にこれと平行に設けてある。ただし、これらの反射板９ｂはいずれも内側が上になるように傾斜させて発泡管８ｂから放出された気泡がこれに衝突し、内側に向って移動するように仕向けてある。これら２枚の反射板の上方には、さらに３枚目の反射板９ｃがこれまた傾斜状かつ前記２枚の反射板と平行に設けてある。これらの反射板９ｂ，９ｃはいずれも支柱９ａに蝶番９ｄ，…を介して取り付けられており、反射角の調整を可能としてある。
【００３８】
発泡管８ｂから放出された気泡はまず、下方に位置する反射板９ｂに衝突し、多くの気泡がその衝撃で潰れて水中に吸収されるが、潰れなかった気泡は反射板９ｂにより方向変換して上昇し、中央上方に位置する反射板９ｃに衝突し、同じく水中に吸収される。もちろん吸収されなかった気泡はさらに上昇して水面から空中に放出される。
【００３９】
また、図示していないが、この調整槽６は微生物供給手段及び水素イオン濃度調整手段を備えている。微生物供給手段は流水路中における水生昆虫やカワニナの老廃物を食べさせて水性植物の肥料としたり、流水路の壁面に付着したアカなどを除去する働きをさせることにより、流水路の清潔維持及び水質の保全を図ろうとするものである。また、水素イオン濃度調整手段はいわゆるＰＨ値を適度に保持するためのもので、通常はピートモスやさんごなどが使われる。
【００４０】
ここで再び図１に戻って説明する。
調整槽６から溢れた水は給水槽４に流入する。この給水槽４にはポンプ１０が据え付けてあり、このポンプによって給水管Ｃを介して流水路Ｂへ流水を供給可能としてある。給水槽４内のポンプ１０の周囲はスポンジなど発泡性物質によって囲むことにより異物の混入を防止している。
【００４１】
次に組立式流水路Ｂについて説明する。
組立式流水路Ｂは既述の通り、複数の流水路ユニット１２を並設して連結したものにより構成してある（図１，７参照）。流水路Ｂの底部には、湧出管１３が設けてあり、この湧出管の端部には上記の供給パイプＣが接続してある。各ユニット１２の底部には石英片岩を敷き詰めてなる砂礫層１４を設けることにより水性植物の繁茂を助けるようにしてある。
【００４２】
湧出管１３は、各ユニット１２の底部に流水の流れる方向に沿って連続的に設けてあり、最下流側に位置するユニットの湧出管の端部は給水管Ｃと接続されているが、最上流側のユニットに位置する湧出管の端部は塞がれており、すべての供給水がここで湧出を完了するようにしてある。図には表れていないが、湧出管１３の中央部には小孔からなる湧出孔が設けてあり、ここから水が湧水としてユニット１２内へ湧出する。この湧水はユニット１２内に充満してユニット間を移動することにより流水となる。こうしてこの流水はユニット１２の端部に設けてある関からオーバーフローして順次下流側のユニットへ移動することにより、組立式流水路Ａに沿って流れる。
【００４３】
上記したように、各ユニット１２の底部には、上記したように湧出管１３が設けてあるが、この底部には上述の砂礫層１４が設けてある他、玉石１５を配置するなどしてカワニナの成育に適する環境を設定してある。また砂礫層１４を形成する石英片岩はカワニナの餌となる珪藻類の繁殖に必要な珪酸（ＳｉＯ２）類を含んでおり、カワニナの成長を助けるとともにカワニナの棲み家を提供する役割を果すことになる。なお、この砂礫層１４にはカナダ藻類、芹、クレソン等の水性植物を植栽してカワニナの餌となるように配慮してある。
【００４４】
ユニット１２の製造素材としては低アルカリ性セメントを採用してある。このセメントにより成形したコンクリートには、カワニナの餌となる珪藻類の繁殖に必要な珪酸（ＳｉＯ２）、カワニナの稚貝の貝殻を形成させるためのカルシウム類、珪藻の他、カワニナや蛍の幼虫の成育を総合的に促進させるマグネシウム等を豊富に含有しているため、食物連鎖の一環としての機能を果すものである。
【００４５】
次に流水路ユニットについて説明する。
図３〜６に流水路ユニット１２の構成例を示してある。このユニット１２は平面形状が実質的に台形の上部開口の箱体からなる。上記した実質的に台形の上底及び下底に相当する部分は流水路の側壁部１２ａ，１２ｂとなるが、その外側の形状は同一中心からの曲率半径で円弧状に形成してある。これにより流水はこの両円弧に沿って流れるため、淀みをなくしスムーズな流れを得ることができる。この側壁部１２ａ，１２ｂは図６に示してあるように、下方を小さくするように傾斜しており、この傾斜面の下方に日陰になる部分を設けて、将来における蛹の生棲地を確保するように配慮してある。
【００４６】
図４に示すように、ユニット１２の前端部及び後端部の壁部１２ｃは、形状が横長の長方形となっており、その端面は垂直になっている（図５参照）。端面１２ｄのほぼ中央部には湧出管１３を挿通するための貫通孔１２ｅが設けてあり、両側部にはユニット同士を接続するためのボルト孔１２ｆ，１２ｆが設けてある。また、この端面１２ｄにはパッキン取付用の溝部１２ｇが設けてある。なお、上部に形成されている凹部はユニット間を流水が乗り越えて移動するための関１２ｂである。
【００４７】
また、ユニット１２の底部に設けてある湧出管１３は、前後の壁部１２ｄに設けた貫通孔１２ｅを貫通している。側壁部１２ａ，１２ｂの中央上部には小孔１２ｉが設けてあり、この小孔まで水位が上がると流水を流水路外へ流出させることにより、流水路周辺の土壌に水分を与えることができるようにしてある。これは幼虫が流水路外へ這い出して土中に潜って蛹化し、さらに羽化するまでに必要な水分を補給することを配慮したものである。
【００４８】
組立式流水路Ｂは、任意の数のユニット１２を任意の方向に配置することにより構成されるものであるが、ユニット同士の連結は前後の壁部１２ｄ，１２ｄを当接し、パッキンとボルトを用いて緊結することにより行われる。
【００４９】
図７は上記の多数のユニット１２を任意の向きに連結してなる組立式流水路を示している。このユニット１２は上記したように側壁部１２ｃ，１２ｄが円弧状になっているため、各ユニットの前後の壁部１２ｃ，１２ｄを当接して連結すると、ユニットの組み合わせにより、任意の方向の線の流路を作ることができる。
【００５０】
図７において、組立式流水路Ｂの上流側を図の右方に位置するユニットとすると、流水供給装置Ａと接続する給水管Ｃは図の左方に位置するユニットの湧出管と接続されていることになる。そして湧出管の湧出孔からの湧水は砂礫層１４の下から湧き上がり、ユニット１２内に充満する。こうして湧水は次々と連結されたユニット内に湧出し、最後に最上流側のユニット内に湧出することによりすべての湧出が終わる。
【００５１】
各ユニット１２内に充満した湧水は関１２ｂを乗り越えて隣接するユニットに流れ込み、これが次々と連鎖的に行われることにより、図面の右方のユニットから左方のユニットへの流水路が作られる。なお最上流側のユニットの端部に設けてある関は溢れないように閉鎖しておけば、流れの方向は上記のように一方のみとなる。なお、組立式流水路Ａは、周囲の環境とマッチするように配慮し、その周辺には樹木や草むらなどを配置することが望ましい。
【００５２】
次に上記した水生昆虫の人工飼育システムによるゲンジボタルの人工飼育方法について図８を参照しながら説明する。
ゲンジボタルの飼育には清浄な水と空気及び草木のある環境が求められる。そこで蛍の人工飼育システムの設置場所としては、蛍が半永久的に生存可能な環境を選択することが望ましい。例としては、大きな公園やホテル等の庭園が挙げられるが小規模のものについては地面や草木があれば家庭のガーデニングの一環として設置することも可能である（図７参照）。
【００５３】
図８において、上記のように選択された場所に蛍の人工飼育システムを設置する（Ｓ１）。このシステムにおける流水供給装置Ａ(図１参照)は、ＰＨ値やバクテリアなどはゲンジボタルの飼育に適するものを選ぶ。水源は表流水や湧水又は水道水でもよいが、水質検査の結果により、水質改善処理の内容を対応させるとよい。
【００５４】
また、組立式流水路Ｂでは、カワニナの飼育を前提とすることから、ユニット１２を低アルカリ性セメントの成形品とし、砂礫層１４となる石英片岩を敷き詰めてシステムの設置が終了したら、次に流水供給装置Ａを運転して、供給管Ｃを介して組立式流水路Ｂに流水を供給する（Ｓ２）。さらにこの砂礫層１４にはカナダ藻類、芹、クレソンなどの水性植物を植栽しておく（Ｓ３）。水藻はカワニナに食い尽くされて絶滅しないように、適宜植え増ししたり増殖を図ったりすることが望ましい。
【００５５】
こうして水藻が根付いたら、次にこの流水路Ｂにゲンジボタルの餌となるカワニナを大小取り混ぜて放流する（Ｓ４）。カワニナは長期飼育を視野に入れて、大小様々のものを取り混ぜて放流するとよい。これらのカワニナは水藻を餌として成長する。また、これらのカワニナは、何世代にもわたって生存させるようにすることが望ましい。
【００５６】
カワニナが流水路に定着したら、次にゲンジボタルの幼虫を放流する（Ｓ５）。幼虫は初めの放流については別の施設で養殖したものを使用する。次年度からは蛍の産卵による自前の幼虫が繁殖するように心掛けるとよい。
【００５７】
上記の環境整備の間にも流水は流水供給装置Ａにより幼虫の成育に適する水質に維持され、カワニナや幼虫のふんや流水路の汚れなどもバクテリアの働きによって処理される。こうして幼虫が成長する（Ｓ６）と、幼虫は次に蛹化の準備のために流水路から這い出して（Ｓ７）地面へ潜って蛹化し（Ｓ８）、土中に土まゆを作って時の経過を待つ。
【００５８】
この蛹が成長し、成虫になると、土まゆを食い破ってそこから脱出して羽化して（Ｓ９）ゲンジボタルとなる。羽化したゲンジボタルはエネルギーを蓄えた後、夜間の空中へ光を点滅させながら飛翔する（Ｓ１０）。
【００５９】
ゲンジボタルが暗い空中を飛び回る様子は、これを見る人々に幻想的な郷愁を呼び起こさせるものがあるが、蛍自身にとっては生存行為そのものであるので、システムの設置者はこのような蛍を外敵から保護したり、自然環境を整えるなどの配慮が必要である。
【００６０】
こうして夜間青白い光を点滅しながら空中を飛んでいるゲンジボタルは、日中は葉陰で羽を休め、時期の到来により交尾し、その後に流水路Ａに産卵する（Ｓ１１）。この産卵により流水路Ａ内において孵化した（Ｓ１２）二世の幼虫は、ここで先代の幼虫と同様にカワニナを餌として成長し、同じサイクルを繰り返して半永久的にゲンジボタルの生存が続けられる。カワニナについても産卵・成長を続けることにより生存を続けることによりゲンジボタルへの餌の供給が継続的に行われる。
【００６１】
ここまではゲンジボタルの人工飼育方法について説明してきたが、このシステムを利用すればこの他ヘイケボタルの幼虫やとんぼのやご、その他の水生昆虫についてもその生態に対応した飼育方法により飼育可能である。
【００６２】
【発明の効果】
本発明によれば、水生昆虫特にゲンジボタルの飼育が容易となる。また、水生昆虫やカワニナなどの生存環境を配慮してあるので、このシステムを見る人に対して環境啓蒙の効果を与えることができる。またゲンジボタルのもつ特性により公園などの人集めに供したり、小学生の理科の観察に供することができるなど間接的な効果がある。
【図面の簡単な説明】
【図１】水生昆虫の人工飼育システムの構成を示す断面図である。
【図２】溶存酸素富化装置の例を示す斜視図である。
【図３】流水路ユニットの例を示す平面図である。
【図４】図３のＣ矢視図である。
【図５】図３の線Ａ―Ａ断面図である。
【図６】図３の線Ｂ―Ｂ断面図である。
【図７】流水路の例を示す平面図である。
【図８】ゲンジボタルの人工飼育方法についての説明図である。
【符号の説明】
Ａ              流水供給装置
Ｂ              組立式流水路
Ｃ              供給管
１              水源
２              貯水槽
３              水質改善槽
４              給水槽
５              ろ過槽
６              水質調整槽
７              溶存酸素富化装置
８              発泡装置
９              気泡分散装置
９ｂ，９ｃ      反射板
１０            ポンプ
１２            流水路ユニット
１２ｆ          小孔
１３            湧出管
１４            砂礫層
【図１】
0004328839.tif 000002
【図２】
0004328839.tif 000003
【図３】
0004328839.tif 000004
【図４】
0004328839.tif 000005
【図５】
0004328839.tif 000006
【図６】
0004328839.tif 000007
【図７】
0004328839.tif 000008
【図８】
0004328839.tif 000009